【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
画像処理ミスアライメントを低減するように構成された超音波治療および画像処理システムであって、
組織に超音波治療を適用するように構成された超音波治療トランスデューサと、前記組織を画像処理するために構成された超音波画像処理トランスデューサと、第１の方向および第２の方向に前記超音波画像処理トランスデューサを動かすための動作機構とを備える、超音波プローブであって、
前記超音波画像処理トランスデューサは、前記動作機構に機械的に取り付けられ、
前記第１の方向は前記第２の方向と反対であり、
前記超音波画像処理トランスデューサが、前記第１の方向に移動するときＮ＞１である焦点ゾーンシーケンス順序（ｆ１、．．．、ｆＮ）で画像処理し、
前記超音波画像処理トランスデューサが、前記第２の方向に移動するとき第２の焦点ゾーンシーケンス順序（ｆＮ、．．．、ｆ１）で画像処理し、
前記第１の方向の画像処理と前記第２の方向の画像処理との間の空間的位置合わせは、トリガー部位をずらすことによって改善され、
前記超音波治療および画像処理システムは、連続するＡライン上で（ｆ１〜ｆＮ）と（ｆＮ〜ｆ１）との間で交互になる方向依存性焦点ゾーンシーケンシングを使用する、超音波プローブと、
前記超音波画像処理トランスデューサを制御するための前記超音波プローブに結合された制御モジュールと、を備える、超音波治療および画像処理システム。
【請求項２】
前記トランスデューサの前記第１の移動方向は、線状、回転、および湾曲からなる群のうちの任意の１つ以上であり、前記第２の方向は前記第１の方向の逆の経路である、請求項１に記載の超音波治療および画像処理システム。
【請求項３】
前記第１の移動方向は、複数の次元で発生し、前記第２の方向は前記第１の方向の逆の経路である、請求項１又は２に記載の超音波治療および画像処理システム。
【請求項４】
前記超音波画像処理トランスデューサが、Ｎ＞２である（Ｆ１〜ＦＮ）として指定される前記第１の焦点ゾーンシーケンス順序で画像処理する、請求項１〜３のいずれか１項に記載の超音波治療および画像処理システム。
【請求項５】
前記超音波治療トランスデューサが、第１の美容治療ゾーン内に配置された第１のセットの部位と、第２の美容治療ゾーン内に配置された第２のセットの部位での組織の治療のために構成され、前記第１のゾーンは前記第２のゾーンとは異なる、請求項１〜４のいずれか１項に記載の超音波治療および画像処理システム。
【請求項６】
前記超音波治療トランスデューサは、振幅変調を使用する超音波治療を適用するように構成され、それによって前記超音波トランスデューサの複数の部分が、音波強度の複数の振幅で超音波治療を放出するように構成され、第１の振幅は第２の振幅とは異なる、請求項１〜５のいずれか一項に記載の超音波治療および画像処理システム。
【請求項７】
前記超音波トランスデューサの少なくとも１つの部分は、音波強度の２つ以上の振幅で超音波治療を放出するように構成され、前記圧電性の前記少なくとも１つの部分によって放出される超音波治療の前記振幅は時間と共に変化する、請求項６に記載の超音波治療および画像処理システム。
【請求項８】
前記超音波トランスデューサは圧電材料を含み、前記超音波トランスデューサの前記複数の部分は、前記超音波トランスデューサに加えられる電界に応答して複数の対応する圧電材料の変化を生成するように構成される、請求項６に記載の超音波治療および画像処理システム。
【請求項９】
前記複数の圧電材料変化は、前記圧電材料の膨張と前記圧電材料の収縮のうちの少なくとも１つを含む、請求項８に記載の超音波治療および画像処理システム。
【請求項１０】
前記超音波トランスデューサは、位相シフトを介して超音波治療を適用するように構成されており、それによって前記超音波トランスデューサの複数の部分が、音波強度の複数の位相で超音波治療を放出するように構成されており、第１の位相は第２の位相とは異なる、請求項１〜５のいずれか一項に記載の超音波治療および画像処理システム。
【請求項１１】
前記複数の位相は離散位相値を含む、請求項１０に記載の超音波治療および画像処理システム。
【請求項１２】
前記超音波トランスデューサが、
振幅変調を使用する超音波治療を適用するように構成され、それによって前記超音波トランスデューサの複数の部分が、音波強度の複数の振幅で超音波治療を放出するように構成されており、第１の振幅は第２の振幅とは異なり、
超音波治療を適用するように構成され、それによって前記超音波トランスデューサの複数の部分が、音波強度の複数の位相で超音波治療を放出するように構成されており、第１の位相は第２の位相とは異なる、請求項１〜５のいずれか一項に記載の超音波治療および画像処理システム。
【請求項１３】
前記超音波治療は、フェイスリフト、眉リフト、顎リフト、目の治療、しわ減少、デコルテ改善、臀部リフト、瘢痕の縮小、火傷治療、皮膚の引き締め、血管縮小、汗腺の治療、しみの除去、脂肪治療、セルライト治療、膣の若返り、およびにきび治療のうちの少なくとも１つである、請求項１〜５のいずれか一項に記載の超音波治療および画像処理システム。
【請求項１４】
前記超音波治療が腹部弛緩の治療である、請求項１〜５のいずれか一項に記載の超音波治療および画像処理システム。
【請求項１５】
前記超音波画像処理トランスデューサが、Ｎ＞３である（ｆ１〜ｆＮ）として指定される前記第１の焦点ゾーンシーケンス順序で画像処理する、請求項１〜５のいずれか一項に記載の超音波治療および画像処理システム。
【請求項１６】
前記超音波画像処理トランスデューサが、Ｎ＝４である（ｆ１〜ｆＮ）として指定される前記第１の焦点ゾーンシーケンス順序で画像処理する、請求項１〜５のいずれか一項に記載の超音波治療および画像処理システム。
【請求項１７】
前記超音波画像処理トランスデューサが、Ｎ＝１０である（ｆ１〜ｆＮ）として指定される前記第１の焦点ゾーンシーケンス順序で画像処理する、請求項１〜５のいずれか一項に記載の超音波治療および画像処理システム。
【請求項１８】
前記第１の方向の画像処理と前記超音波プローブを伴う前記第２の方向の画像処理との間の前記空間的な位置合わせの前記トリガー部位をずらすことを含む、請求項１〜５のいずれか一項に記載の方法。
【請求項１９】
Ｎ＝２、３、４、５、６、７、８、９、および１０からなる群のいずれか１つである、請求項１８に記載の方法。
【請求項２０】
Ｎ＝２である、請求項１８に記載の方法。
【請求項２１】
Ｎ＝４である、請求項１８に記載の方法。
【請求項２２】
Ｎ＝６である、請求項１８に記載の方法。
【請求項２３】
Ｎ＝８である、請求項１８に記載の方法。
【請求項２４】
移動する超音波プローブにおける画像処理ミスアライメントを低減する方法であって、
超音波プローブによる第１の方向の画像処理と第２の方向の画像処理との間の空間的位置合わせのトリガー部位をずらすことと、
組織に超音波治療を適用するように構成された超音波治療トランスデューサと、前記組織を画像処理するために構成された超音波画像処理トランスデューサと、前記第１の方向および前記第２の方向に前記超音波画像処理トランスデューサを動かすための動作機構とを備える、前記超音波プローブであって、
前記超音波画像処理トランスデューサは、前記動作機構に機械的に取り付けられ、
前記第１の方向は前記第２の方向と反対であり、
前記超音波画像処理トランスデューサが、前記第１の方向に移動するときＮ＞２である焦点ゾーンシーケンス順序（ｆ１、．．．、ｆＮ）で画像処理し、
前記超音波画像処理トランスデューサが、前記第２の方向に移動するとき第２の焦点ゾーンシーケンス順序（ｆＮ、．．．、ｆ１）で画像処理する、前記超音波プローブと、を含む、方法。
【請求項２５】
Ｎ＝３、４、５、６、７、８、９、および１０からなる群のいずれか１つである、請求項２４に記載の方法。
【請求項２６】
Ｎ＝４である、請求項２４に記載の方法。
【請求項２７】
Ｎ＝５である、請求項２４に記載の方法。
【請求項２８】
Ｎ＝７である、請求項２４に記載の方法。
【請求項２９】
画像処理ミスアライメントを低減するように構成された超音波モジュールであって、
組織に超音波治療を適用するように構成された超音波治療トランスデューサと、
前記組織を画像処理するように構成された超音波画像処理トランスデューサと、
前記超音波画像処理トランスデューサを第１の方向および第２の方向に動かすための動作機構と、を備え、
前記超音波画像処理トランスデューサは、前記動作機構に機械的に取り付けられ、
前記第１の方向は前記第２の方向と反対であり、
前記超音波画像処理トランスデューサが、前記第１の方向に移動するときＮ＞１である焦点ゾーンシーケンス順序（ｆ１、．．．、ｆＮ）で画像処理し、
前記超音波画像処理トランスデューサが、前記第２の方向に移動するとき第２の焦点ゾーンシーケンス順序（ｆＮ、．．．、ｆ１）で画像処理し、
前記第１の方向の画像処理と前記第２の方向の画像処理との間の空間的位置合わせは、トリガー部位をずらすことによって改善され、
前記超音波モジュールは、連続するＡライン上で（ｆ１〜ｆＮ）と（ｆＮ〜ｆ１）との間で交互になる方向依存性焦点ゾーンシーケンシングを使用する、超音波モジュール。